(57)【特許請求の範囲】
【請求項１】
車室外（１２）と車室内（１１）とを区画する区画壁（１０）を備える車両に搭載される車両用空調装置であって、
前記車室外（１２）に搭載され、空気を送風する送風ユニット（１３）と、
前記車室内（１１）に搭載されて前記送風ユニット（１３）により送風される空気を温度調整して車室内（１１）へ吹き出す空調ユニット（１４）と、
前記区画壁（１０）に形成された貫通穴（１５）を貫通して、前記送風ユニット（１３）の出口通路部（１３ｃ）を前記空調ユニット（１４）の入口通路部（１４ｃ）に連通させる連通部材（１６）とを備え、
前記連通部材（１６）は、弾性材料により筒状の一体部品として成形され、
前記連通部材（１６）は、前記筒状の一部に前記筒状の外方へ湾曲状に広がる弛み部（１６ｄ）を形成しており、
さらに、前記連通部材（１６）の筒状の断面積が前記送風ユニット（１３）の出口通路部（１３ｃ）側よりも前記空調ユニット（１４）の入口通路部（１４ｃ）側で拡大しており、
前記連通部材（１６）は、前記貫通穴（１５）のシール機能および前記送風ユニット（１３）の出口通路部（１３ｃ）と前記空調ユニット（１４）の入口通路部（１４ｃ）との連通部のシール機能を発揮するようになっていることを特徴とする車両用空調装置。
【請求項２】
前記連通部材（１６）に、前記筒状の内側方向へ突出して前記送風ユニット（１３）の出口通路部（１３ｃ）の壁部（１３ｄ）の外表面上に弾性的に折れ曲がって圧着するリブ（１６ｂ）を形成したことを特徴とする請求項１に記載の車両用空調装置。
【請求項３】
車室外（１２）と車室内（１１）とを区画する区画壁（１０）を備える車両に搭載される車両用空調装置であって、
前記車室外（１２）に搭載され、空気を送風する送風ユニット（１３）と、
前記車室内（１１）に搭載されて前記送風ユニット（１３）により送風される空気を温度調整して車室内（１１）へ吹き出す空調ユニット（１４）と、
前記区画壁（１０）に形成された貫通穴（１５）を貫通して、前記送風ユニット（１３）の出口通路部（１３ｃ）を前記空調ユニット（１４）の入口通路部（１４ｃ）に連通させる連通部材（１６）とを備え、
前記連通部材（１６）は、弾性材料により筒状の一体部品として成形され、前記貫通穴（１５）のシール機能および前記送風ユニット（１３）の出口通路部（１３ｃ）と前記空調ユニット（１４）の入口通路部（１４ｃ）との連通部のシール機能を発揮するようになっており、
前記連通部材（１６）に、前記筒状の内側方向へ突出して前記送風ユニット（１３）の出口通路部（１３ｃ）の壁部（１３ｄ）の外表面上に弾性的に折れ曲がって圧着するリブ（１６ｂ）を形成したことを特徴とする車両用空調装置。
【請求項４】
前記連通部材（１６）の筒状の断面積が前記送風ユニット（１３）の出口通路部（１３ｃ）側よりも前記空調ユニット（１４）の入口通路部（１４ｃ）側で拡大していることを特徴とする請求項３に記載の車両用空調装置。
【発明の詳細な説明】
【０００１】
【発明の属する技術分野】
本発明は、送風ユニットを車室外に搭載する車両用空調装置に関するものである。
【０００２】
【従来の技術】
車室内における空調装置の占める体積を低減して車室内スペースの拡充を図る手段として、送風ユニットを車室外（例えば、エンジンルーム内）に搭載したものがある。このように送風ユニットを車室外に搭載した空調装置では、車室外の送風ユニットと車室内の空調ユニットとを連通させる空気通路を、車室内と車室外とを区画する区画壁（例えば、ファイヤウォール）を貫通させる必要がある。このため、区画壁に空気通路を通すための貫通穴が形成され、この貫通穴部にシール構造を設定する必要が生じる。
【０００３】
図３は従来技術による貫通穴部のシール構造を示しており、エンジンルーム１２内に搭載される送風ユニットのスクロールケーシング１３ｂの出口通路部１３ｃの壁部１３ｄにフランジ部１３ｅを形成し、このフランジ部１３ｅを区画壁１０の貫通穴１５の周縁部に多孔質樹脂材（フォーム材）からなる板状のシール材１７を介在して圧着することにより、スクロールケーシング１３ｂの出口通路部１３ｃと区画壁１０の車室外側の面との間をシールしている。
【０００４】
同様に、車室内１１に搭載される空調ユニットのケース１４ａの入口通路部１４ｃの壁部１４ｄにフランジ部１４ｅを形成し、このフランジ部１４ｅを区画壁１０の貫通穴１５の周縁部に多孔質樹脂材（フォーム材）からなる板状のシール材１８を介在して圧着することにより、空調ユニットのケース１４ａの入口通路部１４ｃと区画壁１０の車室内側の面との間をシールしている。
【０００５】
【発明が解決しようとする課題】
従来技術によると、車室外側と車室内側でそれぞれ別個のシール材１７、１８を必要とするので、２個のシール材１７、１８を所定位置に組み込む作業が必要となり、組付作業性を悪化させる。また、２個のシール材１７、１８は車室内外で防水性の有無による材質の違いがあり、更に、２個のシール材１７、１８は車室内の空調ユニットと車室外の送風ユニットの車両搭載位置のバラツキ量の違いにより板厚も異なっているので、２個のシール材１７、１８を別々の材質で別々の形状に成形する必要があり、その製造コストが高くなる。
【０００６】
また、従来技術によると、２個のシール材１７、１８が単純な板形状であるので、車室内の空調ユニットの上下前後方向への車両搭載位置のバラツキに対する吸収幅がどうしても小さくなる。同様に、車室外の送風ユニットの車両搭載位置のバラツキに対する吸収幅も小さくなる。
【０００７】
更に、従来技術によると、車室内の空調ユニットのケース１４ａの入口通路部１４ｃに形成したフランジ部１４ｅを区画壁１０の貫通穴１５の周縁部に板状のシール材１８を介在して圧着する構成であるので、ケース１４ａの入口通路部１４ｃの通路面積は必然的に区画壁１０の貫通穴１５の開口面積と同じになる。従って、区画壁１０の貫通穴１５の開口面積による制約を受けて、ケース１４ａの入口通路部１４ｃの通路面積を、貫通穴１５の開口面積からジャ流側の熱交換器の通風面積まで急激に拡大する必要が生じる。このため、ケース１４ａの入口通路部１４ｃの下流側で急拡大による損失が発生して送風性能を低下させる原因となる。また、エンジンルーム１２側のフランジ部１３ｅと車室内１１側のフランジ部１４ｅとの突き合わせ部に段差が発生して異音を発生しやすいという不具合もある。
【０００８】
本発明は、上記点に鑑み、送風ユニットを車室外に搭載する車両において、区画壁の貫通穴部のシール構造を簡素化することを目的とする。
【０００９】
また、本発明は、車室内の空調ユニットおよび車室外の送風ユニットの車両搭載位置のバラツキに対する吸収幅の拡大を図ることを他の目的とする。
【００１０】
また、本発明は、送風ユニットを車室外に搭載する車両において、送風性能の向上を図ることを他の目的とする。
【００１１】
【課題を解決するための手段】
上記目的を達成するために、請求項１に記載の発明では、車室外（１２）と車室内（１１）とを区画する区画壁（１０）を備える車両に搭載される車両用空調装置であって、
車室外（１２）に搭載され、空気を送風する送風ユニット（１３）と、
車室内（１１）に搭載されて送風ユニット（１３）により送風される空気を温度調整して車室内（１１）へ吹き出す空調ユニット（１４）と、
区画壁（１０）に形成された貫通穴（１５）を貫通して、送風ユニット（１３）の出口通路部（１３ｃ）を空調ユニット（１４）の入口通路部（１４ｃ）に連通させる連通部材（１６）とを備え、
連通部材（１６）は、弾性材料により筒状の一体部品として成形され、
連通部材（１６）は、筒状の一部に筒状の外方へ湾曲状に広がる弛み部（１６ｄ）を形成しており、
さらに、連通部材（１６）の筒状の断面積が送風ユニット（１３）の出口通路部（１３ｃ）側よりも空調ユニット（１４）の入口通路部（１４ｃ）側で拡大しており、
連通部材（１６）は、貫通穴（１５）のシール機能および送風ユニット（１３）の出口通路部（１３ｃ）と空調ユニット（１４）の入口通路部（１４ｃ）との連通部のシール機能を発揮するようになっていることを特徴とする。
【００１２】
これにより、連通部材（１６）を形成する単一のシール部品を用いるのみで、貫通穴（１５）を密封するシール機能および送風ユニット（１３）と空調ユニット（１４）間の連通部のシール機能を発揮することができ、送風ユニット（１３）を車室外に搭載する車両においても、シール構造を簡素化でき、コスト低減を達成できる。
【００１４】
また、請求項１に記載の発明では、連通部材（１６）の筒状の一部に筒状の外方へ湾曲状に広がる弛み部（１６ｄ）を形成しているから、車室内の空調ユニット（１４）の搭載位置が各部の寸法バラツキによりばらついても、連通部材（１６）の湾曲状の弛み部（１６ｄ）を空調ユニット搭載位置のバラツキに応じて弾性的に伸縮させることにより、空調ユニット搭載位置のバラツキを吸収できる。そのため、空調ユニット（１４）の搭載位置のバラツキに対する吸収幅を拡大できる。
さらに、請求項１に記載の発明では、連通部材（１６）の筒状の断面積が送風ユニット（１３）の出口通路部（１３ｃ）側よりも空調ユニット（１４）の入口通路部（１４ｃ）側で拡大しているとともに、弛み部（１６ｄ）が筒状の外方へ広がる湾曲状の形状であるから、送風ユニット（１３）の出口通路部（１３ｃ）から空調ユニット（１４）の入口通路部（１４ｃ）へ向かって通路面積を徐変拡大することができる。この結果、空調ユニット（１４）の入口通路部（１４ｃ）での通路面積の急拡大を抑制して、通路面積の急拡大による損失を抑えて送風性能を向上できる。
【００１５】
請求項３に記載の発明では、車室外（１２）と車室内（１１）とを区画する区画壁（１０）を備える車両に搭載される車両用空調装置であって、
車室外（１２）に搭載され、空気を送風する送風ユニット（１３）と、
車室内（１１）に搭載されて送風ユニット（１３）により送風される空気を温度調整して車室内（１１）へ吹き出す空調ユニット（１４）と、
区画壁（１０）に形成された貫通穴（１５）を貫通して、送風ユニット（１３）の出口通路部（１３ｃ）を空調ユニット（１４）の入口通路部（１４ｃ）に連通させる連通部材（１６）とを備え、
連通部材（１６）は、弾性材料により筒状の一体部品として成形され、貫通穴（１５）のシール機能および送風ユニット（１３）の出口通路部（１３ｃ）と空調ユニット（１４）の入口通路部（１４ｃ）との連通部のシール機能を発揮するようになっており、
連通部材（１６）に、筒状の内側方向へ突出して送風ユニット（１３）の出口通路部（１３ｃ）の壁部（１３ｄ）の外表面上に弾性的に折れ曲がって圧着するリブ（１６ｂ）を形成したことを特徴とする。
【００１６】
これにより、請求項１に記載の発明と同様に、連通部材（１６）を形成する単一のシール部品を用いるのみで、貫通穴（１５）を密封するシール機能および送風ユニット（１３）と空調ユニット（１４）間の連通部のシール機能を発揮することができ、送風ユニット（１３）を車室外に搭載する車両においても、シール構造を簡素化でき、コスト低減を達成できる。
これに加え、請求項３に記載の発明では、車室外の送風ユニット（１３）の搭載位置のバラツキが発生しても、リブ（１６ｂ）の折れ曲がり部と壁部（１３ｄ）との圧着位置が送風ユニット搭載位置のバラツキに応じて変化することにより、送風ユニット搭載位置のバラツキを吸収できる。そのため、送風ユニット（１３）の搭載位置のバラツキに対しても吸収幅を拡大できる。
【００１７】
請求項４に記載の発明では、請求項３に記載の車両用空調装置において、連通部材（１６）の筒状の断面積が送風ユニット（１３）の出口通路部（１３ｃ）側よりも空調ユニット（１４）の入口通路部（１４ｃ）側で拡大していることを特徴とする。
【００１８】
これにより、連通部材（１６）の内部通路の形状でもって、送風ユニット（１３）の出口通路部（１３ｃ）から空調ユニット（１４）の入口通路部（１４ｃ）へ向かって通路面積を徐変拡大することができる。
【００１９】
この結果、空調ユニット（１４）の入口通路部（１４ｃ）での通路面積の急拡大を抑制して、通路面積の急拡大による損失を抑えて送風性能を向上できる。
【００２０】
なお、上記各手段の括弧内の符号は、後述する実施形態に記載の具体的手段との対応関係を示す。
【００２１】
【発明の実施の形態】
以下本発明の一実施形態を図に基づいて説明する。図１は本実施形態による車両用空調装置の車両搭載状態を示す要部の概要断面図であり、１０は車両の金属製の区画壁で、車室内１１と走行用エンジン（図示せず）が収納されたエンジンルーム（車室外）１２とを区画するものであり、一般にはファイヤウォールと称されている。なお、区画壁１０は、車両幅方向に拡がるように車両ボディに設けられて車両ボディの強度部材の一部を構成するものである。図１中、上下前後の矢印は車両搭載状態での方向を示す。
【００２２】
そして、エンジンルーム１２内には、車室内へ向かって空気を送風する送風ユニット１３が区画壁１０に隣接して搭載されている。この送風ユニット１３には、遠心式の送風ファン１３ａ、この送風ファン１３ａを収納する渦巻き状のスクロールケーシング１３ｂ、及び送風ファン１３ａを回転駆動する電動モータ（図示せず）等からなるものある。
【００２３】
なお、本実施形態では、スクロールケーシング１３ｂの空気吸入口（図示せず）に内気（車室内空気）と外気（車室外空気）とを切り替え導入する内外気切替箱（図示せず）を接続して、送風ファン１３ａにより内気または外気を吸入してスクロールケーシング１３ｂ内を矢印ａのように車室内（車両後方側）へ向かって送風するようになっている。
【００２４】
また、車室内１１には送風ユニット１３により送風される空気を温度調整して車室内１１へ吹き出す空調ユニット１４が区画壁１０に隣接して搭載されている。この空調ユニット１４は具体的には車室内前部の車両計器盤（図示せず）の内側において車両幅方向の略中央部に配置される。空調ユニット１４は樹脂製のケース１４ａを有し、このケース１４ａの内部に車両前方側から車両後方側へ向かって空気が流れる空気通路１４ｂを構成する。
【００２５】
このケース１４ａ内部の空気通路１４ｂに周知のように送風ユニット１３の送風空気を冷却する冷却用熱交換器（図示せず）およびこの送風空気を加熱する加熱用熱交換器（図示せず）を内蔵し、これら熱交換器による冷却、加熱作用により車室内吹出空気の温度を調整する。なお、冷却用熱交換器は具体的には蒸気圧縮式冷凍サイクルの蒸発器で構成され、加熱用熱交換器は具体的には車両エンジンからの温水を熱源とする温水式ヒータコアで構成される。ケース１４ａ内の空気通路１４ｂにおいて、空気流れ上流側から冷却用熱交換器、加熱用熱交換器の順に熱交換器が配置される。
【００２６】
そして、車両ボディの区画壁１０において、空調ユニット１４の車両前方側の部位に貫通穴１５が形成されている。この貫通穴１５は、エンジンルーム１２内（車室外）の送風ユニット１３のスクロールケーシング１３ｂの出口通路部１３ｃを車室内１１の空調ユニット１４の最前部の入口通路部１４ｃに連通させるために必要なものである。
【００２７】
スクロールケーシング１３ｂの出口通路部１３ｃの断面形状は横長の矩形状になっているので、貫通穴１５も出口通路部１３ｃの断面形状に沿った横長の矩形状になっている。この貫通穴１５の内側にグロメット１６を配置してある。このグロメット１６は、弾性材料、具体的には、適度の硬度（剛性）を持ったゴムにより筒状の一体部品として成形されている。ここで、グロメット１６の筒状形状の断面形状は貫通穴１５に沿った横長の矩形状になっている。
【００２８】
このグロメット１６の筒状形状の一端部（空気流れ上流側端部）はスクロールケーシング１３ｂの出口通路部１３ｃに接続され、他端部（空気流れ下流側端部）は空調ユニット１４の最前部の入口通路部１４ｃに接続される。これにより、グロメット１６はスクロールケーシング１３ｂの出口通路部１３ｃを空調ユニット１４の入口通路部１４ｃに連通させる連通部材としての役割を果たす。
【００２９】
また、グロメット１６は貫通穴１５を密封するシール機能および送風ユニット１３の出口通路部１３ｃと空調ユニット１４の入口通路部１４ｃとの連通部のシール機能を発揮するシール材としての役割も果たす。
【００３０】
次に、グロメット１６の具体的形状を図２の要部拡大図に基づいて説明すると、区画壁１０には貫通穴１５の周縁部の全周に車両前方側（エンジンルーム１２側）へ突き出すフランジ部１５ａが一体に形成され、このフランジ部１５ａにはまり込む断面Ｕ状の第１嵌合部１６ａがグロメット１６に形成されている。この第１嵌合部１６ａは貫通穴１５の周縁部の全周に沿って形成されている。
【００３１】
そして、この第１嵌合部１６ａの内周部の全周に、貫通穴１５の中央部に向かって突き出すリブ１６ｂが形成されている。このリブ１６ｂの先端部は、スクロールケーシング１３ｂの出口通路部１３ｃを形成する壁部１３ｄの外表面上に弾性的に折れ曲がって圧着する。
【００３２】
また、第１嵌合部１６ａの内周部から車両後方側へ向かって断面積が拡大する拡大筒状部１６ｃが形成してある。この拡大筒状部１６ｃには、グロメット１６内の通路に対して垂直方向の外方へ湾曲状に広がる弛み部１６ｄが形成してある。この弛み部１６ｄも拡大筒状部１６ｃの全周にわたって形成してある。
【００３３】
更に、この弛み部１６ｄより車両後方側の先端部に全周にわたって断面Ｕ状の第２嵌合部１６ｅが形成してある。この断面Ｕ状の第２嵌合部１６ｅは、空調ユニット１４の入口通路部１４ｃを形成するケース１４ａの最前部の壁部１４ｄのの全周にはまり込むものである。ここで、第２嵌合部１６ｅおよび壁部１４ｄの全周形状（全体の断面形状）は横長の矩形状になっている。
【００３４】
次に、上記構成において本実施形態の空調装置の車両搭載方法を説明すると、空調ユニット１４のケース１４ａの最前部壁部１４ｄの全周に、グロメット１６の拡大筒状部１６ｃの車両後方側の先端部に形成した第２嵌合部１６ｅをはめ込む。ここで、第２嵌合部１６ｅは断面Ｕ状の形状を弾性的に拡大するようにして圧入状態で壁部１４ｄの全周にはめ込むので、第２嵌合部１６ｅを壁部１４ｄに確実に嵌合保持できる。これにより、グロメット１６を空調ユニット１４のケース１４ａ側に予め装着しておくことができる。
【００３５】
その後に、車両計器盤内に位置する車両ボディの強度部材（図示せず）に空調ユニット１４を吊り下げて、空調ユニット１４を車両ボディ側に搭載する。このとき、空調ユニット１４のケース１４ａの最前部壁部１４ｄは区画壁１０の貫通穴１５に隣接するように空調ユニット１４の搭載位置が設定されるので、グロメット１６も貫通穴１５付近に位置する。
【００３６】
次に、グロメット１６の車両前方側の先端に位置する第１嵌合部１６ａ部分をエンジンルーム１２側から手で持って貫通穴１５を通してエンジンルーム１２側へ引き出し、断面Ｕ状の第１嵌合部１６ａを貫通穴１５の周縁部の全周に形成されているフランジ部１５ａにはめ込む。この場合も、第１嵌合部１６ａは断面Ｕ状の形状を弾性的に拡大するようにして圧入状態でフランジ部１５ａの全周にはめ込むので、第１嵌合部１６ａをフランジ部１５ａに確実に嵌合保持できる。
【００３７】
次に、エンジンルーム１２内において送風ユニット１３のスクロールケーシング１３ｂの出口通路部１３ｃの先端壁部１３ｄがグロメット１６の第１嵌合部１６ａの内周部に位置するリブ１６ｂ内へ突き出すように配置して、送風ユニット１３をエンジンルーム１２内にて車両ボディの区画壁１０に組み付け、固定する。この際に、スクロールケーシング１３ｂの先端壁部１３ｄの外形状はリブ１６ｂの先端部の内側形状より大きくしてあるので、先端壁部１３ｄをリブ１６内へ突き出すことにより、リブ１６ｂの先端部が壁部１３ｄの外表面上に弾性的に折れ曲がって圧着する。以上により、空調ユニット１４および送風ユニット１３の車両搭載を終了できる。
【００３８】
次に、本実施形態の作用効果を説明すると、図１は上述した空調装置の車両搭載作業を終了した後の状態を示しており、この車両搭載状態においては、グロメット１６の断面Ｕ状の第１嵌合部１６ａが弾性的に圧入状態で貫通穴１５のフランジ部１５ａの全周にはまり込むとともに、グロメット１６のリブ１６ｂの先端部が送風ユニット１３のスクロールケーシング１３ｂの出口通路部１３ｃの先端壁部１３ｄ上に弾性的に折れ曲がって圧着する。これにより、送風ユニット１３のスクロールケーシング１３ｂと区画壁１０の貫通穴１５との隙間部を確実に密封することができる。
【００３９】
そのため、エンジンルーム１２側から水、高温空気等が貫通穴１５を通過して車室内１１へ侵入することを確実に防止できる。しかも、グロメット１６の車両後方側の先端部に形成した第２嵌合部１６ｅを空調ユニット１４の最前部の壁部１４ｄに、弾性的に圧入状態ではめ込むから、エンジンルーム１２内の送風ユニット１３の出口通路部１３ｃと、車室内１１の空調ユニット１４の入口通路部１４ｃとの連通部のシール機能も確実に発揮できる。
【００４０】
このように本実施形態によると、区画壁１０の貫通穴１５周囲の隙間部を密封するシール機能と、送風ユニット１３の出口通路部１３ｃと空調ユニット１４の入口通路部１４ｃとの連通部のシール機能を１つのグロメット１６にて良好に発揮できる。
【００４１】
そして、シール材として１つのグロメット１６を用いるのみでよいから、従来技術に比較して、シール材の製造コストを低減できるとともに、シール材の組付作業性を向上できる。
【００４２】
ところで、車両ボディの強度部材に空調ユニット１４を吊り下げて、空調ユニット１４を車両ボディ側に搭載する際に、各部の寸法バラツキにより空調ユニット１４の入口通路部１４ｃの壁部１４ｄの搭載位置が車両上下前後方向に種々ばらつくという現象が不可避的に発生する。図２において、壁部１４ｄの実線位置は標準的な搭載位置を示し、破線位置▲１▼、▲２▼、▲３▼、▲４▼は壁部１４ｄの搭載位置のバラツキを示す。
【００４３】
このように空調ユニット１４の入口通路部１４ｃの壁部１４ｄの搭載位置が車両上下前後方向に種々ばらついても、グロメット１６の拡大筒状部１６ｃに外方へ湾曲状に広がる弛み部１６ｄが形成してあるので、この湾曲状の弛み部１６ｄが壁部１４ｄの搭載位置のバラツキに応じて弾性的に伸縮することにより、壁部１４ｄの搭載位置のバラツキを広範囲にわたって吸収できる。つまり、空調ユニット１４の搭載位置のバラツキに対する吸収幅が大きいという効果がある。
【００４４】
また、送風ユニット１３の搭載位置も車両前後方向にバラツキを生じやすいが、上述したようにグロメット１６のリブ１６ｂの先端部が送風ユニット１３のスクロールケーシング１３ｂの先端壁部１３ｄ上に弾性的に折れ曲がって圧着するから、送風ユニット１３の搭載位置が車両前後方向にばらついても、リブ１６ｂ先端部の折れ曲がり部と壁部１３ｄとの圧着位置が送風ユニット１３の搭載位置のバラツキに応じて変化することにより、送風ユニット１３の搭載位置のバラツキを広範囲にわたって吸収できる。
【００４５】
更に、グロメット１６の筒状の断面積を、送風ユニット１３の出口通路部１３ｃ側よりも空調ユニット１４の入口通路部１４ｃ側で拡大するようにしているから、グロメット１６の内部通路の形状でもって、送風ユニット１３の出口通路部１３ｃから空調ユニット１４の入口通路部１４ｃへ向かって通路面積を徐変拡大することができる。
【００４６】
この結果、空調ユニット１４の入口通路部１４ｃでの通路面積の急拡大を抑制して、通路面積の急拡大による損失を抑えて送風性能を向上できる。
【００４７】
（他の実施形態）
なお、上述の一実施形態では、区画壁１０の貫通穴１５の開口形状、送風ユニット１３の出口通路部１３の断面形状および空調ユニット１４の入口通路部１４ｃの断面形状が横長の矩形状である場合について説明したが、本発明はこれに限定されることなく、縦長の矩形状、円形状等の他の形状に変更することも可能である。
【００４８】
また、上述の一実施形態では、送風ユニット１３を車室内前方のエンジンルーム１２に搭載し、空調ユニット１４を車室内１１の前方部に搭載する場合について説明したが、本発明はこれに限定されることなく、送風ユニット１３を例えば、車室内後方のトランクルームに搭載し、空調ユニット１４を車室内１１の後方部に搭載する場合等に本発明を適用してもよい。
【図面の簡単な説明】
【図１】本発明の一実施形態による車両用空調装置の要部の車両搭載状態を示す概略断面図である。
【図２】図１の要部の拡大断面図である。
【図３】従来技術の要部の断面図である。
【符号の説明】
１０…区画壁、１１…車室内、１２…エンジンルーム（車室外）、
１３…送風ユニット、１３ｃ…出口通路部、１４…空調ユニット、
１５…貫通穴、１６…グロメット（連通部材）。
【図１】
0003890993.tif 000002
【図２】
0003890993.tif 000003
【図３】
0003890993.tif 000004